(57)【要約】【課題】室内への給気時における室内への悪臭の持ち込みを抑えることができる空気調和機を提供する。【解決手段】  空気調和機１ａは、室内に配置される室内機２ａと、室外に配置される室外機３ａと、給排気管６と、切換ダンパ４４と、ストリーマ放電部１７ａとを備える。給排気管６は、室内機２ａと室外機３ａとを結び、排気運転時には室内機２ａから室外機３ａへと送られる排気空気が通り、給気運転時には室外機３ａから室内機２ａへと送られる給気空気が通る。なお、排気運転時には、室内の空気が室内機２ａから取り込まれ室外機３ａを通って室外へ排出される。また、給気運転時には、室外の空気が室外機３ａから取り込まれ室内機２ａを通って室内へ供給される。切換ダンパ４４は、排気運転と給気運転とを切り換え可能である。ストリーマ放電部１７ａは、室内機２ａに配置され、ストリーマ放電を生起させることにより排気空気に活性種を放出する。【選択図】図２
2007101140.tif 000002
【特許請求の範囲】
【請求項１】
室内に配置される室内機（２ａ）と、
室外に配置される室外機（３ａ）と、
前記室内機（２ａ）と前記室外機（３ａ）とを結び、室内の空気が前記室内機（２ａ）から取り込まれ前記室外機（３ａ）を通って室外へ排出される排気運転時に前記室内機（２ａ）から前記室外機（３ａ）へと送られる排気空気が通り、室外の空気が前記室外機（３ａ）から取り込まれ前記室内機（２ａ）を通って室内へ供給される給気運転時に前記室外機（３ａ）から前記室内機（２ａ）へと送られる給気空気が通る給排気管（６）と、
前記排気運転と前記給気運転とを切り換え可能な切換部（４４）と、
前記室内機（２ａ）に配置され、ストリーマ放電を生起させることにより前記排気空気に活性種を放出するストリーマ放電部（１７ａ）と、
を備える空気調和機（１ａ）。
【請求項２】
前記室内機（２ａ）は、
吸込み口（１４０）と吹出し口（１４１）とが設けられた室内機ケーシング（１４）と、
前記室内機ケーシング（１４）内に設けられる室内熱交換器（１１）と、
室内の空気が前記吸込み口（１４０）から前記室内機ケーシング（１４）内に吸い込まれ前記室内熱交換器（１１）を通り前記吹出し口（１４１）から室内へ吹き出される循環運転時に前記吸込み口（１４０）から吸い込まれ前記吹出し口（１４１）から吹き出される空気の流れを生成する室内送風部（１２）と、
を有し、
前記ストリーマ放電部（１７ａ）は、前記排気運転時には前記排気空気に活性種を放出し、前記循環運転時には前記吸込み口（１４０）から吸い込まれ前記吹出し口（１４１）から吹き出される空気の流れに活性種を放出する、
請求項１に記載の空気調和機（１ａ）。
【請求項３】
前記ストリーマ放電部（１７ａ）は、前記吸込み口（１４０）から吸い込まれ前記吹出し口（１４１）から吹き出される空気の流れにおける前記吸込み口（１４０）の下流であり且つ前記室内熱交換器（１１）の上流に配置されている、
請求項２に記載の空気調和機（１ａ）。
【請求項４】
前記室内機（２ａ）は、前記給排気管（６）に接続され前記吸込み口（１４０）から吸い込まれ前記吹出し口（１４１）から吹き出される空気の流れにおける前記吸込み口（１４０）の下流であり且つ前記室内熱交換器（１１）の上流に位置する前記室内機（２ａ）の内部空間に連通する室内ダクト（１９）をさらに有する、
請求項３に記載の空気調和機（１ａ）。
【請求項５】
室内に配置される室内機（２ｂ）と、
室外に配置される室外機（３ｂ）と、
前記室内機（２ｂ）と前記室外機（３ｂ）とを結び、室外の空気が前記室外機（３ｂ）から取り込まれ前記室内機（２ｂ）を通って室内へ供給される給気運転時に前記室外機（３ｂ）から前記室内機（２ｂ）へと送られる給気空気が通る給気管（６）と、
前記室外機（３ｂ）に配置され、ストリーマ放電を生起させることにより前記給気空気に活性種を放出するストリーマ放電部（１７ｂ）と、
を備える空気調和機（１ｂ）。
【請求項６】
前記給気管（６）には、室内の空気が前記室内機（２ｂ）から取り込まれ前記室外機（３ｂ）を通って室外へ排出される排気運転時には、前記室内機（２ｂ）から前記室外機（３ｂ）へと送られる排気空気が通り、
前記排気運転と前記給気運転とを切り換え可能な切換部（４４）をさらに備える、
請求項５に記載の空気調和機（１ｂ）。
【請求項７】
前記室外機（３ｂ）は、前記給気管（６）が接続される接続配管（６１）を有し、
前記ストリーマ放電部（１７ｂ）は、前記接続配管（６１）に設けられる、
請求項６に記載の空気調和機（１ｂ）。
【請求項８】
前記切換部（４４）は、前記室外機（３ｂ）に設けられており、
前記ストリーマ放電部（１７ｂ）は、前記切換部（４４）に設けられる、
請求項６に記載の空気調和機（１ｂ）。
【請求項９】
前記室外機（３ｂ）は、室内へ供給される空気を加湿する加湿部（４１）をさらに有し、
前記加湿部（４１）による加湿運転の終了後に前記ストリーマ放電部（１７ｂ）によるストリーマ放電を生起させる制御部（９）をさらに備える、
請求項７または８に記載の空気調和機（１ｂ）。
【請求項１０】
前記室外機（３ｂ）は、
室外から取り込まれる空気が通る給気口（４０ｃ）が設けられた室外機ケーシング（４０）と、
前記給気口（４０ｃ）から取り込まれ前記給気管（６）を通って室内へ供給される空気を加湿する加湿部（４１）と、
をさらに有し、
前記ストリーマ放電部（１７ｂ）は、前記給気運転時の空気の流れにおける前記給気口（４０ｃ）の下流であり且つ前記加湿部（４１）の上流に設けられる、
請求項６に記載の空気調和機（１ｂ）。
【請求項１１】
前記給気管（６）の長さに応じて前記ストリーマ放電部（１７ｂ）におけるストリーマ電流または電圧を調整可能である、
請求項５から１０のいずれかに記載の空気調和機（１ｂ）。
【発明の詳細な説明】
【技術分野】
【０００１】
本発明は、空気調和機に関する。
【背景技術】
【０００２】
近年、室内に配置される室内機と室外に配置される室外機とを備え、室外の空気を室外機から取り込み室内機を通って室内へと送る空気調和機が利用されている（特許文献１
参照）。例えば、室外空気が室外機において加湿され室内へと送られることにより、室内空気の乾燥を抑えることができる。そして、このような空気調和機では、空気が通る配管によって室外機と室内機とが繋がれており、室外の空気はこの配管を通って室内機へと給気される。
【特許文献１】特開２００１−９１００１号公報
【発明の開示】
【発明が解決しようとする課題】
【０００３】
上記のように室外機と室内機とを繋ぐ配管によって空気が室内へ給気される場合、配管内に臭気成分が付着すると、室内へ給気される空気と共に悪臭が室内に持ち込まれてしまい、居住者等の快適感を低下させる恐れがある。
本発明の課題は、室内への給気時における室内への悪臭の持ち込みを抑えることができる空気調和機を提供することにある。
【課題を解決するための手段】
【０００４】
第１発明に係る空気調和機は、室内に配置される室内機と、室外に配置される室外機と、給排気管と、切換部と、ストリーマ放電部とを備える。給排気管は、室内機と室外機とを結び、排気運転時には室内機から室外機へと送られる排気空気が通り、給気運転時には室外機から室内機へと送られる給気空気が通る。なお、排気運転時には、室内の空気が室内機から取り込まれ室外機を通って室外へ排出される。また、給気運転時には、室外の空気が室外機から取り込まれ室内機を通って室内へ供給される。切換部は、排気運転と給気運転とを切り換え可能である。ストリーマ放電部は、室内機に配置され、ストリーマ放電を生起させることにより排気空気に活性種を放出する。なお、ここにいう「ストリーマ放電」とは、放電端の先端から対向電極まで微小アークが連続することにより、発光を伴ったプラズマ柱として形成されるものである。また、このストリーマ放電が行われると、放電空間に低温プラズマが発生し、この低温プラズマによって活性種（被処理空気中に含まれる臭気物質や有害物質等の被処理成分に作用する因子）として高速電子、イオン、オゾン、ヒドロキシラジカル等のラジカルや、その他励起分子（励起酸素分子、励起窒素分子、励起水分子等）などが生成される。
【０００５】
この空気調和機では、排気運転時に給排気管を通る排気空気に活性種が放出されるため、室内空気の排気を行うと同時に給排気管の脱臭・除菌を行うことができる。そして、給気時には脱臭・除菌が行われた給排気管を通って空気が室内に給気される。これにより、この空気調和機では、室内への給気時における室内への悪臭の持ち込みを抑えることができる。
【０００６】
第２発明に係る空気調和機は、第１発明の空気調和機であって、室内機は、室内機ケーシングと、室内熱交換器と、室内送風部とを有する。室内機ケーシングには、吸込み口と吹出し口とが設けられている。室内熱交換器は、室内機ケーシング内に設けられる。室内送風部は、循環運転時に吸込み口から吸い込まれ吹出し口から吹き出される空気の流れを生成する。なお、循環運転時には、室内の空気が吸込み口から室内機ケーシング内に吸い込まれ室内熱交換器を通り吹出し口から室内へ吹き出される。そして、ストリーマ放電部は、排気運転時には排気空気に活性種を放出し、循環運転時には吸込み口から吸い込まれ吹出し口から吹き出される空気の流れに活性種を放出する。
この空気調和機では、排気運転時には給排気管の脱臭・除菌を行うことができる。また、循環運転時には、室内へ吹き出される空気に活性種を放出することによって、室内へ吹き出される空気を直接、脱臭・除菌することができる。これにより、この空気調和機では、脱臭・除菌された空気を室内に吹き出させることができる。
【０００７】
第３発明に係る空気調和機は、第２発明の空気調和機であって、ストリーマ放電部は、吸込み口から吸い込まれ吹出し口から吹き出される空気の流れにおける吸込み口の下流であり且つ室内熱交換器の上流に配置されている。
この空気調和機では、ストリーマ放電部から放出された活性種は、室内熱交換器を通った後に吹出し口から吹き出される。このため、室内熱交換器の消臭・除菌を行うことができる。
【０００８】
第４発明に係る空気調和機は、第３発明の空気調和機であって、室内機は室内ダクトをさらに有する。室内ダクトは、給排気管に接続され、吸込み口から吸い込まれ吹出し口から吹き出される空気の流れにおける吸込み口の下流であり且つ室内熱交換器の上流に位置する室内機の内部空間に連通する。
この空気調和機では、排気運転時には、吸込み口から吸い込まれた空気が、ストリーマ放電部から放出された活性種と共に、室内ダクトを通って給排気管へと送られる。また、給気運転時には、給排気管から室内ダクトを通って室内機の内部空間に送られたが、室内熱交換器を通った後に、吹出し口から室内へと吹き出される。
【０００９】
第５発明に係る空気調和機は、室内に配置される室内機と、室外に配置される室外機と、給気管と、ストリーマ放電部とを備える。給気管は、室内機と室外機とを結び、給気運転時に室外機から室内機へと送られる給気空気が通る。なお、給気運転時には、室外の空気が室外機から取り込まれ室内機を通って室内へ供給される。ストリーマ放電部は、室外機に配置され、ストリーマ放電を生起させることにより給気空気に活性種を放出する。
この空気調和機では、給気運転時に給気空気に活性種が放出される。活性種を含んだ給気空気は、給気管を通って室内機へと送られ、室内へと吹き出される。このため、室内への給気を行うと同時に給気管の脱臭・除菌を行うことができる。これにより、この空気調和機では、室内への給気時における室内への悪臭の持ち込みを抑えることができる。
【００１０】
第６発明に係る空気調和機は、第５発明の空気調和機であって、給気管には、排気運転時に室内機から室外機へと送られる排気空気が通る。なお、排気運転時には、室内の空気が室内機から取り込まれ室外機を通って室外へ排出される。また、この空気調和機は、排気運転と給気運転とを切り換え可能な切換部をさらに備える。
この空気調和機では、排気運転によって室内の空気を室外に排気することができる。また、この排気運転時に排気空気中の臭気成分が給気管に付着した場合も給気時に活性種を含んだ空気が通ることによって給気管を脱臭・除菌することができる。
【００１１】
第７発明に係る空気調和機は、第６発明の空気調和機であって、室外機は、給気管が接続される接続配管を有する。そして、ストリーマ放電部は、接続配管に設けられる。
【００１２】
この空気調和機では、ストリーマ放電部は、室外機との給気管との接続部分である接続配管に設けられる。このため、給気運転時には、活性種を含んだ空気が給気管を通ることができる。また、排気運転時には、活性種を含んだ空気が接続配管より下流の室外機内を通ることができる。このため、排気運転時には、室外機内において接続配管より下流に配置された構成部品の消臭・除菌を行うことができる。
【００１３】
第８発明に係る空気調和機は、第６発明の空気調和機であって、切換部は、室外機に設けられており、ストリーマ放電部は、切換部に設けられる。
この空気調和機では、ストリーマ放電部は、室外機に設けられた切換部に設けられる。このため、給気運転時には、活性種を含んだ空気が給気管を通ることができる。また、排気運転時には、活性種を含んだ空気が切換部より下流の室外機内を通ることができる。このため、排気運転時には、室外機内において切換部より下流に配置された構成部品の消臭・除菌を行うことができる。
【００１４】
第９発明に係る空気調和機は、第７発明または第８発明の空気調和機であって、室外機は、室内へ供給される空気を加湿する加湿部をさらに有し、加湿部による加湿運転の終了後にストリーマ放電部によるストリーマ放電を生起させる制御部をさらに備える。
この空気調和機では、制御部が、加湿部による加湿運転の終了後にストリーマ放電部によるストリーマ放電を生起させる制御を行うことができる。このため、湿度の影響によりストリーマ放電が不安定になることを抑えることができる。
【００１５】
第１０発明に係る空気調和機は、第６発明の空気調和機であって、室外機は、室外機ケーシングと、加湿部とをさらに有する。室外機ケーシングには、室外から取り込まれる空気が通る給気口が設けられている。加湿部は、給気口から取り込まれ給気管を通って室内へ供給される空気を加湿する。そして、ストリーマ放電部は、給気運転時の空気の流れにおける給気口の下流であり且つ加湿部の上流に設けられる。
【００１６】
この空気調和機では、ストリーマ放電部は、室外機ケーシングの内部において、給気運転時の空気の流れにおける給気口の下流であり且つ加湿部の上流に設けられる。このため、給気運転時には、活性種を含んだ空気が給気管を通ることができる。また、排気運転時には、活性種を含んだ空気が給気口より下流の室外機内を通ることができる。このため、排気運転時には、室外機内において給気口より下流に配置された構成部品の消臭・除菌を行うことができる。さらに、給気運転時の空気の流れにおける給気口の下流であり且つ加湿部の上流においては、ストリーマ放電が湿度による悪影響を受けることを抑えることができ、安定的にストリーマ放電を生起させることができる。
【００１７】
第１１発明に係る空気調和機は、第５発明から第１０発明の空気調和機であって、給気管の長さに応じてストリーマ放電部におけるストリーマ電流または電圧を調整可能である。
この空気調和機では、給気管の長さに応じてストリーマ電流または電圧を調整可能であるため、消臭・除菌性能の調整を行うことができる。例えば、ストリーマ電流を増大させることによって、消臭・除菌性能を高めることができる。また、ストリーマ放電では比較的大きな放電音が発生するが、ストリーマ電流または電圧を低減させることによって、室内への放電音の伝達を抑えることができる。
【発明の効果】
【００１８】
第１発明に係る空気調和機では、排気運転時に給排気管を通る排気空気に活性種が放出されるため、室内空気の排気を行うと同時に給排気管の脱臭・除菌を行うことができる。そして、給気時には脱臭・除菌が行われた給排気管を通って空気が室内に給気される。これにより、この空気調和機では、室内への給気時における室内への悪臭の持ち込みを抑えることができる。
【００１９】
第２発明に係る空気調和機では、排気運転時には給排気管の脱臭・除菌を行うことができる。また、循環運転時には、室内へ吹き出される空気に活性種を放出することによって、室内へ吹き出される空気を直接、脱臭・除菌することができる。これにより、この空気調和機では、脱臭・除菌された空気を室内に吹き出させることができる。
第３発明に係る空気調和機では、ストリーマ放電部から放出された活性種は、室内熱交換器を通った後に吹出し口から吹き出される。このため、室内熱交換器の消臭・除菌を行うことができる。
【００２０】
第４発明に係る空気調和機では、排気運転時には、吸込み口から吸い込まれた空気が、ストリーマ放電部から放出された活性種と共に、室内ダクトを通って給排気管へと送られる。また、給気運転時には、給排気管から室内ダクトを通って室内機の内部空間に送られたが、室内熱交換器を通った後に、吹出し口から室内へと吹き出される。
第５発明に係る空気調和機では、給気運転時に給気空気に活性種が放出される。活性種を含んだ給気空気は、給気管を通って室内機へと送られ、室内へと吹き出される。このため、室内への給気を行うと同時に給気管の脱臭・除菌を行うことができる。これにより、この空気調和機では、室内への給気時における室内への悪臭の持ち込みを抑えることができる。
【００２１】
第６発明に係る空気調和機では、排気運転によって室内の空気を室外に排気することができる。また、この排気運転時に排気空気中の臭気成分が給気管に付着した場合も給気時に活性種を含んだ空気が通ることによって給気管を脱臭・除菌することができる。
第７発明に係る空気調和機では、ストリーマ放電部は、室外機との給気管との接続部分である接続配管に設けられる。このため、給気運転時には、活性種を含んだ空気が給気管を通ることができる。また、排気運転時には、活性種を含んだ空気が接続配管より下流の室外機内を通ることができる。このため、排気運転時には、室外機内において接続配管より下流に配置された構成部品の消臭・除菌を行うことができる。
【００２２】
第８発明に係る空気調和機では、ストリーマ放電部は、室外機に設けられた切換部に設けられる。このため、給気運転時には、活性種を含んだ空気が給気管を通ることができる。また、排気運転時には、活性種を含んだ空気が切換部より下流の室外機内を通ることができる。このため、排気運転時には、室外機内において切換部より下流に配置された構成部品の消臭・除菌を行うことができる。
【００２３】
第９発明に係る空気調和機では、制御部が、加湿部による加湿運転の終了後にストリーマ放電部によるストリーマ放電を生起させる制御を行うことができる。このため、湿度の影響によりストリーマ放電が不安定になることを抑えることができる。
第１０発明に係る空気調和機では、ストリーマ放電部は、室外機ケーシングの内部において、給気運転時の空気の流れにおける給気口の下流であり且つ加湿部の上流に設けられる。このため、給気運転時には、活性種を含んだ空気が給気管を通ることができる。また、排気運転時には、活性種を含んだ空気が給気口より下流の室外機内を通ることができる。このため、排気運転時には、室外機内において給気口より下流に配置された構成部品の消臭・除菌を行うことができる。さらに、給気運転時の空気の流れにおける給気口の下流であり且つ加湿部の上流においては、ストリーマ放電が湿度による悪影響を受けることを抑えることができ、安定的にストリーマ放電を生起させることができる。
【００２４】
第１１発明に係る空気調和機では、給気管の長さに応じてストリーマ電流または電圧を調整可能であるため、消臭・除菌性能の調整を行うことができる。例えば、ストリーマ電流を増大させることによって、消臭・除菌性能を高めることができる。また、ストリーマ放電では比較的大きな放電音が発生するが、ストリーマ電流または電圧を低減させることによって、室内への放電音の伝達を抑えることができる。
【発明を実施するための最良の形態】
【００２５】
〈第1実施形態〉
＜空気調和機の概略構成＞
本発明の第１実施形態に係る空気調和機１ａの外観を図１に示す。
この空気調和機１ａは、室内の壁面などに取り付けられる室内機２ａと、室外に設置される室外機３ａとに分かれて構成されている。室外機３ａは、室外熱交換器やプロペラファンなどを収納する室外空調ユニット５と加湿給排気ユニット４ａとを備えている。室内機２ａ内には室内熱交換器が収納され、室外機３ａ内には室外熱交換器が収納されている。そして、各熱交換器およびこれらの熱交換器を接続する冷媒配管３１，３２が、冷媒回路を構成している。
【００２６】
また、室外機３ａと室内機２ａとの間には、給排気管６（給気管）が設けられている。給排気管６は、室内機２ａと室外機３ａとを結び、排気運転時には室内機２ａから室外機３ａへと送られる排気空気が通り、給気運転時には室外機３ａから室内機２ａへと送られる給気空気が通り、給気時と排気時とで同じ配管が兼用されている。なお、後に詳細に説明するが、排気運転時には、室内の空気が室内機２ａから取り込まれ室外機３ａを通って室外へ排出される。また、給気運転時には、室外の空気が室外機３ａから取り込まれ室内機２ａを通って室内へ供給される。
【００２７】
＜冷媒回路の構成＞
図２は、空気調和機１ａで用いられる冷媒回路の系統図に空気の流れの概略を付加したものである。
室内機２ａには、室内熱交換器１１が設けられている。この室内熱交換器１１は、長さ方向両端で複数回折り返されてなる伝熱管と、伝熱管が挿通される複数のフィンとからなり、接触する空気との間で熱交換を行う。
【００２８】
また、室内機２ａ内には、クロスフローファン１２（室内送風部）と、クロスフローファン１２を回転駆動する室内ファンモータ１３とが設けられている。クロスフローファン１２は、円筒形状に構成され、周面には多数の羽根が設けられており、回転軸と交わる方向に空気流を生成する。このクロスフローファン１２は、室内空気を室内機２ａ内に吸い込ませるとともに、室内熱交換器１１との間で熱交換を行った後の空気を室内に吹き出させる。
【００２９】
室外空調ユニット５には、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された電動弁２５とが設けられている。電動弁２５は、フィルタ２６および液閉鎖弁２７を介して冷媒配管３２に接続されており、この冷媒配管３２を介して室内熱交換器１１の一端と接続される。また、四路切換弁２２は、ガス閉鎖弁２８を介して冷媒配管３１に接続されており、この冷媒配管３１を介して室内熱交換器１１の他端と接続されている。これらの冷媒配管３１，３２は、上述した給排気管６とともに集合連絡管７を形成する。
また、室外空調ユニット５内には、室外熱交換器２４での熱交換後の空気を外部に排出するためのプロペラファン２９が設けられている。このプロペラファン２９は、室外ファンモータ３０によって回転駆動される。
【００３０】
＜室外機の構成＞
室外機３ａは、図１に示すように、下部の室外空調ユニット５および上部の加湿給排気ユニット４ａが一体となって構成されている。
【００３１】
図３に室外機３ａの分解斜視図を示す。
〔室外空調ユニットに係る構成〕
室外空調ユニット５は、前面パネル５１、側板５２，５３、保護金網（図示せず）、底板５４等のケーシング部材や内部に収容される冷媒回路構成部品等により構成されている。
【００３２】
前面パネル５１は、室外空調ユニット５の前面を覆う樹脂製の部材であり、室外熱交換器２４に対して室外熱交換器２４を通った空気の下流側に配置されている。前面パネル５１には、複数のスリット状の開口からなる室外空調ユニット吹出口５１ａが設けられており、室外熱交換器２４を通った空気は、室外空調ユニット５の内部からこの室外空調ユニット吹出口５１ａを通って室外機３ａの外部へと吹き出す。また、前面パネル５１の後方には、ファン吹出口部材５６と仕切板５７とが取り付けられる。
【００３３】
側板５２，５３には右側板５２および左側板５３があり、これらは室外空調ユニット５の側方を覆う金属製の部材である。ここでは、室外機３ａの正面視において右側に右側板５２、左側に左側板５３が設けられている。
冷媒回路構成部品には、室外熱交換器２４、圧縮機２１、アキュムレータ２３、四路切換弁２２、電動弁２５等（図２参照）がある。
【００３４】
室外熱交換器２４は、平面視において略Ｌ字形状を有し、室外空調ユニット５の背面を覆う保護金網の前方に配置される。
室外熱交換器２４の前方であって、仕切板５７と左側板５３との間の通気スペースには、室外ファンモータ３０とプロペラファン２９とが設けられている。室外ファンモータ３０は、プロペラファン２９を回転させる。プロペラファン２９は、室外空調ユニット５内に取り入れた空気を室外熱交換器２４と接触させ室外空調ユニット吹出口５１ａから前面パネル５１の前方に排気させる。
【００３５】
圧縮機２１、アキュムレータ２３、四路切換弁２２、電動弁２５などの他の冷媒回路構成部品は、仕切板５７と右側板５２との間の機械室に配置されている。
室外空調ユニット５の上部には、電装品ユニット５８が取り付けられる。この電装品ユニット５８は、電装品箱と各部を制御するための回路部品を搭載したプリント基板とにより構成されている。
【００３６】
また、室外空調ユニット５には、各種のセンサーが備えられている。例えば、室外熱交換器２４の温度を検知する熱交温度センサー（図示せず）、吐出管温度を検知する吐出管温度センサー（図示せず）、室外空気の温度を検知する室外温度センサー３３（図５参照）などである。これらのセンサーは電装品ユニット５８の回路部品と接続されており、検知した温度情報等を制御部９（図５参照）へと送る。
なお、電装品ユニット５８の上方には防炎板５９が取り付けられる。
【００３７】
〔加湿給排気ユニットに係る構成〕
加湿給排気ユニット４ａは、室内から取り込まれた空気を室外へと排出させる排気運転と室外から取り込まれた空気を室内へと供給する給気運転とを行うことができる。給気運転には、室外から取り込まれた空気を加湿して室内へと供給する加湿運転と、加湿を行わずに室外の空気を取り入れて室内へと供給する給気換気運転とがある。以下、加湿給排気ユニット４ａの構成について、主として図３に基づいて説明する。
【００３８】
（加湿給排気ユニットケーシング）
加湿給排気ユニット４ａは、加湿給排気ユニットケーシング４０（室外機ケーシング）を有している。加湿給排気ユニットケーシング４０は、加湿給排気ユニット４ａの前方、後方および両側方を覆っており、室外空調ユニット５の上部に接するように配置される。
加湿給排気ユニットケーシング４０の前面には、複数のスリット状の開口からなる吸着用空気吹出口４０ａが設けられており、空気がこの吸着用空気吹出口４０ａを通って室外機３ａの外部へと吹き出す。
【００３９】
また、加湿給排気ユニットケーシング４０の背面には、吸着用空気吸込口４０ｂおよび給排気口４０ｃ（給気口）が左右方向に並んで設けられている。また、加湿給排気ユニットケーシング４０の前面には、吸着用空気吸込口４０ｂと前後方向に並んで吸着用空気吸込口４０ｅが設けられている。吸着用空気吸込口４０ｂ，４０ｅは、吸加湿ロータ４１に水分を吸着させるために室外から取り込まれる空気が通る開口である。給排気口４０ｃは、室内機２ａへと送られるために取り込まれる空気が通る、または、室内機２ａから取り込まれて室外へと排気される空気が通る開口である。
【００４０】
なお、加湿給排気ユニットケーシング４０の上部は、天板６６により覆われている。
加湿給排気ユニットケーシング４０内は、右側が吸加湿ロータ４１等を収容する空間、左側が吸着用ファン４６等を収容する吸着用ファン収納空間ＳＰ１となっている。この加湿給排気ユニットケーシング４０内には、吸加湿ロータ４１（加湿部）、ヒータ組立体４２、ラジアルファン組立体４３、切換ダンパ４４（切換部）、吸着側ダクト４５、吸着用ファン４６などが配置されている。
【００４１】
（吸加湿ロータ）
吸加湿ロータ４１は、概ね円板形状を有するハニカム構造のセラミックロータであり、空気が容易に通過できる構造となっている。吸加湿ロータ４１は、水平面で切った断面において細かいハニカム（蜂の巣）状になっている。そして、これらの断面が多角形である吸加湿ロータ４１の多数の筒部分を、空気が通過する。
【００４２】
吸加湿ロータ４１の主たる部分は、ゼオライト、シリカゲル、あるいはアルミナといった吸着剤から焼成されている。このゼオライト等の吸着剤は、接触する空気中の水分を吸着し、加熱されることによって吸着して含有する水分を離脱する性質を有している。
この吸加湿ロータ４１は、加湿給排気ユニットケーシング４０側に設けられた支持軸４０ｄに回動可能に支持される。吸加湿ロータ４１の周面には、ギヤが形成されており、ロータ駆動モータ４７の駆動軸に取り付けられるロータ駆動ギヤ４８と歯合している。
【００４３】
（ヒータ組立体）
ヒータ組立体４２は、加湿運転時に、室外から取り込まれて吸加湿ロータ４１へ送られる空気を加熱する。このヒータ組立体４２は、ヒータ支持板４９を介して吸加湿ロータ４１の上方に取り付けられる。
（ラジアルファン組立体）
ラジアルファン組立体４３は、吸加湿ロータ４１の側方に配置されており、給排気口４０ｃから吸加湿ロータ４１および切換ダンパ４４を経て室内へと到る空気の流れを生成して、室外から取り入れた空気を室内機２ａへと送る。また、ラジアルファン組立体４３は、室内機２ａから取り入れた空気を室外へと排出することもできる。ラジアルファン組立体４３は、切換ダンパ４４が切り換わることにより、これらの動作を切り換える。
【００４４】
ラジアルファン組立体４３は、室外から取り入れた空気を室内機２ａへと送る場合には、吸加湿ロータ４１を通過して吸加湿ロータ４１の右側の略半分の部分のうち手前側の部分から降りてきた空気を、切換ダンパ４４を経て給排気ダクト６１（接続配管）へと送り出す。給排気ダクト６１は、給排気管６（図１参照）に接続されており、ラジアルファン組立体４３は、給排気ダクト６１と給排気管６とを介して空気を室内機２ａへと供給する。
【００４５】
ラジアルファン組立体４３は、室内機２ａから取り入れた室内の空気を室外へと排出する場合には、給排気ダクト６１から送られてきた空気を加湿給排気ユニットケーシング４０の背面に設けられた給排気口４０ｃから室外へと排出する。
（切換ダンパ）
切換ダンパ４４は、排気運転と給気運転とを切り換えるための構成部品である。切換ダンパ４４は、ラジアルファン組立体４３の下方に配置される回転式の空気流路切換手段であり、第１状態、第２状態及び第３状態に切り替わる。
【００４６】
第１状態においては、ラジアルファン組立体４３から吹き出された空気は、給排気ダクト６１を経て給排気管６を通って室内機２ａへと供給されるようになる。これにより、第１状態では、図２の実線矢印Ａ１で示す矢印の向きに空気が流れ、加湿空気あるいは室外空気が給排気管６を通って室内機２ａへと供給されるようになる。
第２状態では、図２の破線矢印Ａ２で示す矢印の向きに空気が流れ、室内機２ａから給排気管６及び給排気ダクト６１を通ってきた空気が、ラジアルファン組立体４３から給排気口４０ｃを経て室外へと排気される。
第３状態では、切換ダンパ４４と給排気ダクト６１とを繋ぐ経路が閉じられ、室外機３ａと室内機２ａとの間の空気の流れが遮断される。
【００４７】
（吸着側ダクトおよび吸着用ファン）
吸着側ダクト４５は、吸加湿ロータ４１の上面のうちヒータ組立体４２が位置しない部分（左側の略半分の部分）を覆っている。この吸着側ダクト４５は、後述する吸着側ベルマウス６３とともに、吸加湿ロータ４１の左半分の部分の上面から以下に説明する吸着用ファン収納空間ＳＰ１の上部へと通じる空気流路を形成する。
【００４８】
吸着用ファン収納空間ＳＰ１に収容される吸着用ファン４６は、吸着用ファンモータ６５によって回転する遠心ファンであり、上部に配置される吸着側ベルマウス６３の開口部６３ａから空気を吸込むことで、吸着用空気吸込口４０ｂ，４０ｅから吸加湿ロータ４１を介して、開口部６３ａへ流れる気流を生成する。そして、吸着用ファン４６は、吸加湿ロータ４１を通る際に水分を吸着された乾燥空気を吸着用空気吹出口４０ａから加湿給排気ユニットケーシング４０の前方へ向けて排気する。吸着側ベルマウス６３は、吸着用ファン収納空間ＳＰ１の上部に設けられており、吸着側ダクト４５によって形成される空気流路を通ってくる空気を吸着用ファン４６へと導く役割を果たす。
【００４９】
＜室内機の構成＞
次に室内機２ａの構成について、図４に示す室内機２ａの側面断面図に基づいて説明する。
室内機２ａは、正面視に置いて横方向に長い室内機ケーシング１４を備えており、前述した室内熱交換器１１やクロスフローファン１２は、室内機２ａの室内機ケーシング１４内に収容されている。また、室内機ケーシング１４には、ストリーマ放電ユニット１７ａ（ストリーマ放電部）および室内ダクト１９が備えられている。
【００５０】
〔室内機ケーシング〕
室内機ケーシング１４は、前面パネル１４ａと底フレーム１４ｂとにより構成されている。
前面パネル１４ａは、室内機２ａの上面、下面、前面及び側面を覆っている。前面パネル１４ａの上面は、室内熱交換器１１の上方を覆っており、複数のスリット状の開口からなる吸込み口１４０が設けられている。前面パネル１４ａの下面には、室内機２ａの長手方向に沿う開口からなる吹出し口１４１が設けられている。また、吹出し口１４１には、室内へと吹出す空気の吹き出し角度を調整する水平フラップ１４２が設けられている。この水平フラップ１４２は、室内機２ａの長手方向に平行な軸を中心に回動自在に設けられている。水平フラップ１４２は、フラップモータ１８（図５参照）によって回動されることにより、吹出し口１４１の開閉を行うことができる。
【００５１】
底フレーム１４ｂは、室内機２ａの背面を構成しており、室内熱交換器１１の後方を覆っている。
また、室内熱交換器１１の下方には、熱交換時に室内熱交換器１１の表面に発生する水滴を受け取るためのドレンパン１４３が設けられている。このドレンパン１４３には、受け取った水滴を外部に排出するためのドレンホース（図示せず）が取り付けられている。冷房運転時やドライ運転時には、室内熱交換器１１は蒸発側熱交換器として作用するため、室内熱交換器１１と接触する空気中に含まれる水分が凝縮して水滴となって滴下する。ドレンパン１４３は、このような水滴を受け取ってドレンホースによって排水するように構成されている。
【００５２】
なお、室内機ケーシング１４の内部には、吸込み口１４０から吸い込まれた室内空気の温度を検知する室内温度センサー１５（図５参照）や室内空気の湿度を検知する室内湿度センサー１６（図５参照）が収納されている。
〔クロスフローファン〕
クロスフローファン１２は、側面視において室内機２ａの略中央に配置されている。クロスフローファン１２は、室内ファンモータ１３（図５参照）によって回転駆動されることにより、吸込み口１４０から吸い込まれ室内熱交換器１１を通り吹出し口１４１から室内へと吹出す空気の流れを生成する。
【００５３】
〔室内熱交換器〕
室内熱交換器１１は、クロスフローファン１２の前方、上方および後部上方を取り囲むように取り付けられている。室内熱交換器１１は、クロスフローファン１２の駆動により吸込み口１４０から吸い込まれた空気や、ラジアルファン組立体４３によって室外機３ａから送られてきた空気をクロスフローファン１２側に通過させ、伝熱管の内部を通過する冷媒との間で熱交換を行わせる。室内熱交換器１１は、第１熱交換部１１ａ、第２熱交換部１１ｂ、第３熱交換部１１ｃ、第４熱交換部１１ｄを有する。
【００５４】
第１熱交換部１１ａと第２熱交換部１１ｂは、クロスフローファン１２の上方に設けられており、側面視において逆Ｖ字型の形状に組み合わされている。第１熱交換部１１ａが後側に配置され、第２熱交換部１１ｂが前側に配置されている。第１熱交換部１１ａは、その下端が上端よりも後方に位置するように傾斜して配置されており、第１熱交換部１１ａの下端は、クロスフローファン１２の後方に位置している。第２熱交換部１１ｂは、その下端が上端よりも前方に位置するように傾斜して配置されている。また、第１熱交換部１１ａの上端と第２熱交換部１１ｂの上端とは近接して配置されている。
第３熱交換部１１ｃは、第１熱交換部１１ａの下端に接続されており、略鉛直方向に沿って設けられている。また、第４熱交換部１１ｄは、第３熱交換部１１ｃの下端に接続されており、クロスフローファン１２の前方を通り下方に延びている。
【００５５】
〔ストリーマ放電ユニット〕
ストリーマ放電ユニット１７ａは、室内機ケーシング１４内に配置されており、排気運転時と循環運転時にストリーマ放電を生起させることにより、周囲を通過する空気中に活性種を放出する。具体的には、ストリーマ放電ユニット１７ａは、第２熱交換部１１ｂの外側に配置されており、吸込み口１４０から吸い込まれ吹出し口１４１から吹き出される空気の流れにおける吸込み口１４０の下流であり且つ室内熱交換器１１の上流に配置されている。なお、ここでいう「外側」とは、室内熱交換器１１に対してクロスフローファン１２が配置されている側を「内側」として、その反対側を「外側」と呼んでいる。ストリーマ放電ユニット１７ａは、例えば、針状の放電電極と、放電電極から極僅かな距離を隔てて配置された対向電極とから構成されており、放電電極と対向電極との間に放電電圧が印可されることによりストリーマ放電を生起させる。ストリーマ放電ユニット１７ａは、排気運転時には排気空気に活性種を放出し、循環運転時には吸込み口１４０から吸い込まれ吹出し口１４１から吹き出される空気の流れに活性種を放出する。ストリーマ放電ユニット１７ａの空気中への活性種の放出に関しては、後に詳述する。
【００５６】
〔室内ダクト〕
室内ダクト１９は、室内機ケーシング１４内に配置されており、室内熱交換器１１の表面に沿って設けられている。室内ダクト１９は、一端が給排気管６に接続されており、他端近傍の室内熱交換器１１に面する部分と、他端の先端とに開口が設けられている。室内ダクト１９は他端の先端に設けられた開口によって、吸込み口１４０から吸い込まれ吹出し口１４０から吹き出される空気の流れにおける吸込み口１４０の下流であり且つ室内熱交換器１１の上流に位置する室内機２ａの内部空間に連通している。
【００５７】
＜制御部＞
また、この空気調和機１ａは、図５に示す制御部９を備えている。制御部９は室内機２ａと室外機３ａとに分かれて設けられており、各種センサーから伝達される情報やリモコン８から送信される運転指令に基づいて室内機２ａ及び室外機３ａの各構成部品を制御することによって、種々の空調運転を行うことができる。
【００５８】
＜動作＞
次に、本実施形態にかかる空気調和機１ａにおける循環運転時、給気運転時および排気運転時の動作を説明する。
〔循環運転時の動作〕
循環運転時には、クロスフローファン１２が駆動され、室内の空気が吸込み口１４０から室内機ケーシング１４内に吸い込まれ室内熱交換器１１を通り吹出し口１４１から室内へ吹き出される（図２の矢印Ａ４参照）。このとき、吸込み口１４０から取り込まれた空気は、室内熱交換器１１を通過する際に加熱又は冷却された、その後、吹出し口１４１から室内に吹き出される。これにより、室内の暖房または冷房が行われる。また、ストリーマ放電ユニット１７ａは、吸込み口１４０から吸い込まれ室内熱交換器１１を通過する前の空気に活性種を放出する。活性種を含んだ空気は、室内熱交換器１１を通り、吹出し口１４１から室内へと吹き出される。
【００５９】
〔給気運転時の動作〕
給気運転時には、室外の空気が、室外機３ａから取り込まれ、給排気管６を通って室内機２ａへと送られる（図２の矢印Ａ１参照）。室内機２ａへと送られた給気空気は、室内熱交換器１１の上流に送られ、室内熱交換器１１を通った後に吹出し口１４１から室内へと吹き出される。給気運転には、空気を加湿して室内へと供給する加湿運転と、加湿を行わずに空気を室内へと供給する給気換気運転とがある。
【００６０】
なお、給気運転と同時に上記の循環運転が行われてもよい。この場合、室外機３ａから取り込まれ室内機２ａへと送られた給気空気と、吸込み口１４０から取り込まれた室内の空気とが室内機２ａの内部で合流して吹出し口１４１から室内へ吹き出される。
【００６１】
（加湿運転時の動作）
本実施形態にかかる空気調和機１ａにおいて加湿運転が行われるときには、上記の切換ダンパ４４は第１状態に切り換えられる。
以下、加湿運転が行われる際の加湿給排気ユニット４ａの動作について図２及び図３に基づいて説明する。
加湿給排気ユニット４ａは、吸着用ファン４６を回転駆動することによって、室外からの空気を吸着用空気吸込口４０ｂ，４０ｅから加湿給排気ユニットケーシング４０内に取り入れる。加湿給排気ユニットケーシング４０内に入ってきた空気は、吸加湿ロータ４１の左側の略半分の部分を通過して、吸着側ダクト４５および吸着側ベルマウス６３により形成される空気流路および吸着用ファン４６を介して、吸着用ファン収納空間ＳＰ１から吸着用空気吹出口４０ａを通って室外機３ａの前方へと排出される（図２の矢印Ａ３及び図３参照）。加湿給排気ユニットケーシング４０内に室外から取り入れられた空気が吸加湿ロータ４１の左側の略半分の部分を通過する際に、吸加湿ロータ４１は、空気中に含まれている水分を吸着する。
【００６２】
この吸着工程で水分を吸着した吸加湿ロータ４１の左側の略半分の部分は、吸加湿ロータ４１が回転することによって、吸加湿ロータ４１の右側の略半分の部分となる。すなわち、吸着された水分は、吸加湿ロータ４１の回転に伴い、ヒータ組立体４２の下方に位置する吸加湿ロータ４１の部分に移動してくる。そして、ここに移動してきた水分は、ヒータ組立体４２からの熱により、ラジアルファン組立体４３によって生成される空気流中に離脱していく。
【００６３】
ラジアルファン組立体４３が駆動されると、給排気口４０ｃから加湿給排気ユニットケーシング４０内に室外の空気が取り込まれ、その空気が吸加湿ロータ４１の右側の略半分の部分のうち奥の部分の下方から上方に向けて通過し、ヒータ組立体４２内に導入される。そして、ヒータ組立体４２内に入った空気は、ヒータ組立体４２から排出され、吸加湿ロータ４１の右側の略半分の部分のうち手前の部分を上方から下方に通過し、切換ダンパ４４の内部を通ってラジアルファン組立体４３へと至る。このような空気流は、ラジアルファン組立体４３が生成するものである。ラジアルファン組立体４３は、上記のように吸加湿ロータ４１および切換ダンパ４４を通り抜けてきた空気を、切換ダンパ４４、給排気ダクト６１及び給排気管６を介して室内機２ａへと送る。この室内機２ａへと送られる空気は、吸加湿ロータ４１に吸着されていた水分を含むようになっている。そして、加湿給排気ユニット４ａから室内機２ａに供給された空気は、室内ダクト１９から室内熱交換器１１を経て、吹出し口１４１から室内へと吹き出される。
【００６４】
（給気換気運転時の動作）
給気換気運転の場合には、吸着用ファンモータ６５やヒータ組立体４２が作動されずに、上記の加湿運転時と同様の動作が行われる。これにより、室外から取り入れられた空気が、加湿されずに上記と同様の経路を通って室内機２ａへと送られる。
〔排気運転時の動作〕
排気運転時には、室内の空気が吸込み口１４０から室内機２ａに取り込まれ、室内ダクト１０および給排気管６を通って室外機３ａに送られ、室外に排出される（図２の波線矢印Ａ２参照）。このとき、上記の切換ダンパ４４は第２状態に切り換えられる。
【００６５】
ラジアルファン組立体４３が駆動されると、室内機２ａの吸込み口１４０から室内の空気が取り込まれる。ストリーマ放電ユニット１７ａは、吸込み口１４０から吸い込まれた空気（排気空気）に活性種を放出する。活性種を含んだ排気空気は、給排気管６を経て、室外機３ａへと送られる。室外機３ａへ送られた排気空気は、給排気ダクト６１から切換ダンパ４４の内部を通ってラジアルファン組立体４３へと到る。
【００６６】
ラジアルファン組立体４３へと到った排気空気は、再び切換ダンパ４４の内部を通って、切換ダンパ４４の外部へ吹き出し、吸加湿ロータ４１の右側の略半分の部分のうち手前の部分を下方から上方に通過し、ヒータ組立体４２内に導入される。そして、ヒータ組立体４２内に入った排気空気は、ヒータ組立体４２から排出され、吸加湿ロータ４１の右側の略半分の部分のうち奥の部分の上方から下方に向けて通過し、給排気口４０ｃから室外へと排出される。
このようにして室内機２ａから取り込まれた室内の空気は、排気空気として加湿給排気ユニット４ａから室外へと排出される。
【００６７】
＜特徴＞
１つの給排気管を排気時と給気時とで兼用する場合、排気時に排気空気に含まれている臭気成分が給排気管の内壁面に付着し、給気時に臭いを室内に持ち込んでしまうという問題がある。
【００６８】
しかし、この空気調和機１ａでは、排気運転時に給排気管６を通る排気空気に活性種が放出されるため、室内空気の排気を行うと同時に給排気管６内部の脱臭・除菌を行うことができる。そして、給気時には脱臭・除菌が行われた給排気管６を通って給気空気が室内に給気される。これにより、この空気調和機１ａでは、室内への給気時における室内への悪臭の持ち込みを防止することができる。
【００６９】
また、冷暖房等の循環運転時には、吸込み口１４０から吸い込まれ吹出し口１４１から室内へ吹き出される空気の流れに活性種を放出することによって、室内へ吹き出される空気を直接、脱臭・除菌することができる。これにより、この空気調和機１ａでは、脱臭・除菌された空気を室内に吹き出させることができる。
【００７０】
〈第２実施形態〉
＜構成＞
本発明の第２実施形態に係る空気調和機１ｂでは、図６および図７に示すように、室外機３ｂに備えられる加湿給排気ユニット４ｂの給排気ダクト６１にストリーマ放電ユニット１７ｂが設けられており、ストリーマ放電ユニット１７ｂは、給気運転時および排気運転時にストリーマ放電を生起させ、給排気ダクト６１を通る給気空気または排気空気に活性種を放出する。
また、この空気調和機１ｂでは、給排気管６の長さに応じてストリーマ放電ユニット１７ｂにおけるストリーマ電流または電圧を調整可能である。例えば、空気調和機１ｂの設置時にリモコン８等によって給排気管６の長さが入力され、入力された給排気管６の長さに応じて制御部９がストリーマ放電ユニット１７ｂにおけるストリーマ電流または電圧を調整することが可能である。
他の構成については第１実施形態に係る空気調和機１ａと同様である。
【００７１】
＜特徴＞
（１）
この空気調和機１ｂでは、給気運転時に給気空気に活性種が放出される。活性種を含んだ給気空気は、給排気管６を通って室内機２ｂへと送られ、室内へと吹き出される。このため、室内への給気を行うと同時に給排気管６の脱臭・除菌を行うことができる。これにより、この空気調和機１ｂでは、室内への給気時における室内への悪臭の持ち込みを抑えることができる。
【００７２】
また、排気運転時には、活性種を含んだ排気空気が、給排気ダクト６１から切換ダンパ４４、ラジアルファン組立体４３、吸加湿ロータ４１、ヒータ組立体４２等の加湿給排気ユニット４の構成部品を通って室外へ排出される。このため、給排気ダクト６１より下流に配置されたこれらの構成部品の消臭・除菌を行うことができる。
（２）
この空気調和機１ｂでは、給排気管６の長さに応じてストリーマ電流または電圧を調整可能であるため、消臭・除菌性能の調整を行うことができる。例えば、ストリーマ電流を増大させることによって、消臭・除菌性能を高めることができる。また、ストリーマ電流または電圧を低減させることによって、室内への放電音の伝達を抑えることができる。
（３）
この空気調和機１ｂでは、ストリーマ放電ユニット１７ｂが室外機３ｂの加湿給排気ユニット４ｂに備えられている。このため、ストリーマ放電による放電音が室内の居住者等に聞こえ難くなっており、騒音による快適感の低下を防止することができる。
【００７３】
〈他の実施形態〉
（Ａ）
上記の第１実施形態において、給気運転時の給気空気がストリーマ放電ユニット１７ａを通るように構成され、給気空気に活性種が放出されてもよい。この場合、給気空気を活性種によって直接、消臭・除菌することができる。
【００７４】
（Ｂ）
上記の第１実施形態では、循環運転において冷暖房が行われているが、室内熱交換器１１を利用した除湿が行われてもよい。この場合、活性種を含む除湿空気が室内に吹き出されることによって、上記と同様の効果を奏することができる。
（Ｃ）
上記の第２実施形態では、給排気ダクト６１にストリーマ放電ユニット１７ｂが設けられているが、切換ダンパ４４の内部に設けられてもよい。この場合も第２実施形態と同様に、給排気管６の脱臭・除菌を行うことができる。
【００７５】
（Ｄ）
上記の第２実施形態および他の実施形態（Ｃ）の場合において、制御部９が、加湿運転の終了後にストリーマ放電ユニット１７ｂによるストリーマ放電を生起させるように構成されてもよい。
ストリーマ放電ユニット１７ｂが高湿の空気中に曝されるとストリーマ放電の安定性が低下する恐れがあるが、加湿運転の終了後にストリーマ放電を生起させることによって、安定的にストリーマ放電を生起させることができる。
【００７６】
（Ｅ）
上記の第２実施形態では、給排気ダクト６１にストリーマ放電ユニット１７ｂが設けられているが、ストリーマ放電ユニット１７ｂが、給排気口４０ｃのすぐ前方に配置されてもよい。この場合、ストリーマ放電ユニット１７ｂは、給気運転時の空気の流れにおける給気口の下流であり且つ加湿部の上流に設けられることとなり、第２実施形態と同様に、給排気管６の脱臭・除菌を行うことができる。また、加湿運転中であってもストリーマ放電ユニット１７ｂが高湿の空気中に曝されることがなく、安定的にストリーマ放電を生起させることができる。
【産業上の利用可能性】
【００７７】
本発明は、室内への給気時における室内への悪臭の持ち込みを抑えることができる効果を有し、空気調和機として有用である。
【図面の簡単な説明】
【００７８】
【図１】空気調和機の全体外観図。
【図２】第１実施形態に係る冷媒回路の構成および空気流れを示す図。
【図３】室外機の分解斜視図。
【図４】室内機の側面断面図。
【図５】空気調和機の制御ブロック図。
【図６】第２実施形態に係る冷媒回路の構成および空気流れを示す図。
【図７】第２実施形態に係る加湿給排気ユニットの斜視図。
【符号の説明】
【００７９】
１ａ，１ｂ      空気調和機
２ａ，２ｂ      室内機
３ａ，３ｂ      室外機
６              給排気管（給排気管、給気管）
９              制御部
１１            室内熱交換器
１２            クロスフローファン（室内送風部）
１４            室内機ケーシング
１７ａ，１７ｂ  ストリーマ放電ユニット（ストリーマ放電部）
１９            室内ダクト
４０            加湿給排気ユニットケーシング（室外機ケーシング）
４０ｃ          給排気口（給気口）
４１            吸加湿ロータ（加湿部）
４４            切換ダンパ（切換部）
６１            給排気ダクト（接続配管）
１４０          吸込み口
１４１          吹出し口
【図１】
2007101140.tif 000003
【図２】
2007101140.tif 000004
【図３】
2007101140.tif 000005
【図４】
2007101140.tif 000006
【図５】
2007101140.tif 000007
【図６】
2007101140.tif 000008
【図７】
2007101140.tif 000009